(57)【要約】【課題】  エンジンルームの後部にシートを設けた騎乗式の小型滑走艇において、バッテリの配置が容易で、そのバッテリへの補充電やメンテナンスが容易に行える小型滑走艇を提供すること。【解決手段】  ハル２およびデッキ３を有する船体１と、このハル２の底面に設けた吸水口１７から吸込んだ水を後方へ噴出するウォータージェットポンプＰと、前記船体１の前部に設けたエンジンを収容するエンジンルーム８と、このエンジンルーム８の後方の前記デッキ３上に設置したシート７と、このシート７の前方に設けた操舵用ハンドル２３とを備え、前記シート７の下側であって、かつ前記ウォータージェットポンプＰの上側に位置する船体１内にバッテリ収容部２１を配置する。【選択図】  図３
2007069744.tif 000002
【特許請求の範囲】
【請求項１】
ハルおよびデッキを有する船体と、該ハルの底面に設けた吸水口から吸込んだ水を後方へ噴出するウォータージェットポンプと、前記船体の前部に設けたエンジンを収容するエンジンルームと、該エンジンルームの後方の前記デッキ上に設置したシートと、該シートの前方に設けた操舵用ハンドルとを備え、前記シートの下側であって、かつ前記ウォータージェットポンプの上側に位置する船体内にバッテリ収容部を配置した小型滑走艇。
【請求項２】
前記バッテリ収容部を、前記ウォータージェットポンプのポンプケーシングの上部に配置した請求項１に記載の小型滑走艇。
【請求項３】
前記バッテリ収容部にバッテリ取付ブラケットを設け、該バッテリ取付ブラケットを前記ウォータージェットポンプのポンプ取付ブラケットの前部に一体的に形成し、該バッテリ取付ブラケットを前記吸水口から吸込んだ水が通る吸水通路に固定した請求項１又は２に記載の小型滑走艇。
【請求項４】
前記シートを取付けるデッキに上向きに隆起する隆起部を形成し、該隆起部の後部壁面を、船尾部から前記操舵用ハンドルに向けて上傾斜する斜面に形成し、該斜面の頂部付近の下部に前記バッテリ収容部を配置した請求項１乃至３のいずれかに記載の小型滑走艇。
【請求項５】
ハルおよびデッキを有する船体と、該ハルの底面に設けた吸水口から吸込んだ水を後方へ噴射するウォータージェットポンプと、前記船体の前部に設けたエンジンを収容するエンジンルームと、該エンジンルームの後方の前記デッキ上に設置したシートとを備え、該シートの下側に収容部を設け、該収容部の位置する前記デッキのシート取付面に開口を設けるとともに、該開口の周囲をシールするシール部を前記シートの下面又は前記デッキのシート取付面に設けた小型滑走艇。
【請求項６】
前記デッキに上向きに隆起する隆起部を形成し、該隆起部の前部に前記シートの前部を係止する係止部材を設け、該隆起部の後部に前記シートの後部を固定する固定部材を設け、前記シートの前部を前記係止部材に係止して前記シートの後部を前記固定部材に固定することにより、該シートの下面で前記シール部をシールするように構成した請求項５に記載の小型滑走艇。
【発明の詳細な説明】
【技術分野】
【０００１】
本発明は、小型滑走艇に関し、詳しくは、電力供給用のバッテリをエンジンルームの外部に設けた小型滑走艇に関する。
【背景技術】
【０００２】
いわゆるジェット推進型の小型滑走艇（Ｐｅｒｓｏｎａｌ  Ｗａｔｅｒ  Ｃｒａｆｔ：ＰＷＣ）は、レジャー用，スポーツ用、またはレスキュー用として近年多用されている。この小型滑走艇は、一般的にハルに設けられた吸水口から吸い込んだ水を、ウォータージェットポンプで加圧・加速して噴出することにより、その反動で前方へと船体を推進させる。
【０００３】
小型滑走艇には立ち乗り式と騎乗式とがある。立ち乗り式は、デッキの後部に、操縦者用のスペースであるスタンディングデッキと呼ばれる平坦な底部を有する凹所が形成され、操縦者はこの凹所の中央底部に立った状態で前方の操舵ハンドルを握って操縦するものである。スタンディングデッキの前方の船体にエンジンが収容されるエンジンルームが設けられている。また、騎乗式は、デッキ上の中程から後部にかけて操縦者がまたがって座るシートが配設され、操縦者はこのシートにまたがってその前方に配設された操舵ハンドルを握って操縦するものである。シートの前方の船体にエンジンが収容されるエンジンルームが設けられている。一般には複数人乗りである。なお、この明細書及び特許請求の範囲の書類中では、「前」とは艇の進行方向側であり、その反対方向側を「後」という。
【０００４】
このような小型滑走艇にはエンジンの始動のため、また、メータ表示などのために電力を供給するバッテリを搭載している。一般的に、立ち乗り式小型滑走艇の場合にはバッテリをエンジンルーム内に収容しており、比較的大型となる騎乗式小型滑走艇の場合にはバッテリをエンジンルーム内やシートの後部又はデッキの左右に設けられる凸壁部内に設けている。
【０００５】
しかしながら、小型滑走艇のエンジンルームは狭く、エンジン、排気管、プロペラシャフトなどを避けて配置しなければならないバッテリは、配置自由度が低いものとなっている。また、バッテリの補充電やメンテナンスは、エンジンフードを開けてエンジンルーム上の開口からバッテリを引き上げて行ったり、または、作業者が開口からエンジンルーム内に上体を入れ込んで行わなければならない。
【０００６】
そこで、本発明の出願人は、ハルおよびデッキからなる船体の前部にエンジンルームが設けられた小型滑走艇において、前記エンジンルームの外部にバッテリ収容室を配設した小型滑走艇を先に出願した（例えば、特許文献１参照。）。
【特許文献１】特開２００３−２００８８２号公報（第３，５頁、図１，６）
【発明の開示】
【発明が解決しようとする課題】
【０００７】
ところで、近年、小型滑走艇による立ち乗り式と騎乗式との中間に位置するような小型滑走艇の要望もある。この小型滑走艇の要望としては、エンジンルームの後方にシートを備えて座ることができるようにしつつ、操縦時には立ち乗り式のようにスタンディングフォームで操縦できるような一人乗りの小型滑走艇がある。
【０００８】
しかしながら、このようにシートを備えた一人乗りの小型滑走艇の場合には、狭いエンジンルーム内のメンテナンスが容易な箇所にバッテリを設けるのは、設計上、又はデザイン上、難しい場合があり、この場合にはバッテリをエンジンルーム以外の好ましい箇所に設ける必要性が生じる。このようなバッテリの配置は、一人乗りの小型滑走艇以外でも同様に生じる。
【０００９】
なお、前記特許文献１に示される騎乗式の場合、その全体的な構成が大きいためシートの後部や左右の凸壁部内にバッテリを設けることができるが、一人乗りのようにシートが小さく、左右に凸壁部がない小型滑走艇の場合には、特許文献１のようにバッテリを設けるのは難しい。
【００１０】
一方、シートの下部にバッテリ収容部や小物入れ等の収容部を設けた場合、その上部開口を水密シールするための構成も必要となる。しかも、その水密シールは、作業性が容易な構成が望まれる。
【００１１】
そこで、本発明は、エンジンルームの後部にシートを設けた騎乗式の小型滑走艇において、バッテリの配置と、そのバッテリへの補充電やメンテナンスが容易に行える小型滑走艇を提供することを目的としている。
【課題を解決するための手段】
【００１２】
前記目的を達成するために、本発明は、ハルおよびデッキを有する船体と、該ハルの底面に設けた吸水口から吸込んだ水を後方へ噴出するウォータージェットポンプと、前記船体の前部に設けたエンジンを収容するエンジンルームと、該エンジンルームの後方の前記デッキ上に設置したシートと、該シートの前方に設けた操舵用ハンドルとを備え、前記シートの下側であって、かつ前記ウォータージェットポンプの上側に位置する船体内にバッテリ収容部を配置している。これにより、バッテリを、シートの下側で、かつウォータージェットポンプの上側のスペースを有効利用して、エンジンルーム以外に配置することができる。
【００１３】
また、前記バッテリ収容部を、前記ウォータージェットポンプのポンプケーシングの上部に配置するのが好ましく、ポンプケーシングの上部に配置することにより、デッキの後部を任意のデザインとすることができる。
【００１４】
さらに、前記バッテリ収容部にバッテリ取付ブラケットを設け、該バッテリ取付ブラケットを前記ウォータージェットポンプのポンプ取付ブラケットの前部に一体的に形成し、該バッテリ取付ブラケットを前記吸水口から吸込んだ水が通る吸水通路に固定すれば、ウォータージェットポンプを取付ける構成とバッテリを取付ける構成とを１つのコンパクトな構成にできるとともに、バッテリをウォータージェットポンプ上部の吸水通路側に取付けて、シート下側からのバッテリのメンテナンス性を向上させることができる。
【００１５】
また、前記シートを取付けるデッキに上向きに隆起する隆起部を形成し、該隆起部の後部壁面を、船尾部から前記操舵用ハンドルに向けて上傾斜する斜面に形成し、該斜面の頂部付近の下部に前記バッテリ収容部を配置すれば、船尾部から上傾斜する斜面のほぼ延長線上に操舵用ハンドルが位置するため、小型滑走艇への後側からの乗込み性を向上させるデザインを採用しつつ、この斜面の頂部付近の空間がある下部位置にバッテリを配置する箇所を確保することができる。この斜面としては、船尾部から操舵用ハンドルに向けて緩やかに上向きの弧を描く弧面の一部が好ましい。
【００１６】
さらに、ハルおよびデッキを有する船体と、該ハルの底面に設けた吸水口から吸込んだ水を後方へ噴射するウォータージェットポンプと、前記船体の前部に設けたエンジンを収容するエンジンルームと、該エンジンルームの後方の前記デッキ上に設置したシートとを備え、該シートの下側に収容部を設け、該収容部の位置する前記デッキのシート取付面に開口を設けるとともに、該開口の周囲をシールするシール部を前記シートの下面に設けてもよい。これにより、シート取付面におけるシート後部に開口を形成して、シート下側の収容部へのアクセスが容易に行えるようにするとともに、この開口の周囲をシートでシールするようにできる。
【００１７】
また、前記デッキに上向きに隆起する隆起部を形成し、該隆起部の前部に前記シートの前部を係止する係止部材を設け、該隆起部の後部に前記シートの後部を固定する固定部材を設け、前記シートの前部を前記係止部材に係止して前記シートの後部を前記固定部材に固定することにより、該シートの下面で前記シール部をシールするように構成すれば、シートの前部を係止部材に係止し、シートの後部を固定部材で固定する作業のみによって、開口の周囲で水密シールをすることができる。
【発明の効果】
【００１８】
本発明は、以上説明したような手段により、エンジンルームの後部にシートを設けた騎乗式の小型滑走艇において、バッテリをエンジンルームの外部に配置することが容易にでき、そのバッテリへの補充電やメンテナンスも容易に行うことが可能となる。
【発明を実施するための最良の形態】
【００１９】
以下、本発明の一実施形態を図面に基づいて説明する。図１は、本発明の一実施形態に係る小型滑走艇を示す側面図であり、図２は、同小型滑走艇の平面図、図３は、同小型滑走艇を一部断面して示した小型滑走艇の側面図である。なお、以下の説明では、一人乗りの騎乗式小型滑走艇を例に説明する。
【００２０】
図１および図２に示すように、この小型滑走艇は操縦者がシート７上に跨って乗る騎乗式の小型滑走艇であり、その船体１は、ハル２とこのハル２の上部を覆うデッキ３とから構成されている。操縦者が跨って乗るために、デッキ３のやや後部において幅方向中央部を上方へ山形状に隆起させた隆起部４が形成され、この隆起部４の上面にシート７が設置されている。隆起部４の両側部は、操縦者が足を預けるために低く且つほぼ平坦に形成されたデッキフロア５となっている。このデッキフロア５は、操縦者が立ち乗りする場合にはスタンディングデッキになる。船体１の全周にわたってハル２とデッキ３とを接続するラインは、ガンネルラインＧと称される。なお、図１中の符号Ｗは小型滑走艇の喫水線を表し、ガンネルラインＧはこの喫水線Ｗより上方に位置している。
【００２１】
船体１の上部におけるデッキ３の略中央位置にはデッキ開口部６が形成されている（図２に破線で示す）。このデッキ開口部６の上方にはハッチカバー１６が開閉可能にして取り付けられている。デッキ開口部６の下方において、ハル２およびデッキ３により囲まれた空間が、エンジンルーム８を形成している（図３）。
【００２２】
図３に示すように、エンジンルーム８内には小型滑走艇を駆動するためのエンジンＥが搭載されている。エンジンＥの形式は、特に限定されない。このエンジンＥは、クランクシャフト９が船体１の前後方向に配置されている。クランクシャフト９の出力端部は、カップリング手段１０を介してプロペラ軸１１に接続されている。このプロペラ軸１１は、船体１の後部に配置されたウォータージェットポンプＰのポンプ軸１２に接続されている。従って、クランクシャフト９の回転に連動してポンプ軸１２が回転する。このポンプ軸１２にはインペラ１３が取り付けられており、このインペラ１３の後方には静翼１４が配置されている。また、インペラ１３と静翼１４との外周には、このインペラ１３と静翼１４とを覆うようにして筒状のポンプケーシング１５が設けられている。
【００２３】
船体１のハル２には、底部に吸水口１７が設けられている。この吸水口１７とポンプケーシング１５との間は、吸水通路１８により接続されている。ポンプケーシング１５には、さらに船体１の後部に設けられたポンプノズル１９が接続されている。このポンプノズル１９は、後方へいくにしたがってノズル径が小さくなるように構成されており、後端には噴射口２０が形成されている。
【００２４】
このような小型滑走艇は、吸水口１７から吸水通路１８を介して吸入した水をウォータージェットポンプＰによって加圧および加速した水流とし、この水流を静翼１４にて整流し、ポンプノズル１９を通して噴射口２０から後方へ吐出させる。小型滑走艇は、噴射口２０から吐き出された水の反動によってその推進力を得る。
【００２５】
そして、前記ウォータージェットポンプＰは、ポンプ取付ブラケット２５によってハル２に固定されている。このポンプ取付ブラケット２５の前部には、前記吸水通路１８の上部へと延びるバッテリ取付ブラケット２６が延設されている。このバッテリ取付ブラケット２６は、この実施の形態では、ポンプ取付ブラケット２５と一体的に形成された板状の取付ブラケット２７として構成されている。このバッテリ取付ブラケット２６をポンプ取付ブラケット２５と一体的に形成して取付ブラケット２７とすることにより、部品点数を減らしてコンパクトな構成とするとともに、強固なポンプ取付ブラケット２５によってバッテリ取付ブラケット２６を安定した状態で固定できるようにしている。
【００２６】
取付ブラケット２７の前部に形成されたバッテリ取付ブラケット２６の前端部は、前記吸水口１７とポンプケーシング１５とを接続する吸水通路１８の傾斜通路壁面１８ａの部分に固定されている。このように、取付ブラケット２７は、後部がポンプケーシング１５とともにハル２に固定され、前部が吸水通路１８の傾斜通路壁面１８ａに固定されたブリッジ構造となっている。この固定された取付ブラケット２７は、バッテリ取付ブラケット２６が吸水通路１８の上部に位置している。このバッテリ取付ブラケット２６の位置がバッテリ２２を設けるためのバッテリ収容部２１であり、このようにして、バッテリ収容部２１を、シート７の下側であって、かつウォータージェットポンプＰの上側に位置する船体１内の空間に配置している。
【００２７】
一方、シート７の前方には操舵用ハンドル２３が設けられている。このハンドル２３は、図示しないケーブルによって、ポンプノズル１９の後方のステアリングノズル２４と接続されている。このハンドル２３を左右に操作することにより、ステアリングノズル２４は左右に揺動される。従って、ウォータージェットポンプＰが推力を発生させている時にハンドル２３を操作することにより、ポンプノズル１９を通して外部へ吐き出される水の方向を変えることができ、それにより小型滑走艇の向きを変えることができる。
【００２８】
さらに、図１および図３に示すように、シート７が設置される山形状の隆起部４の部分およびその前後の上端面を横から見たときの形状を、操舵用ハンドル２３の取り付け位置から後方に向けてやや急角度で下方に傾斜している第一の斜面４１、シート７の前部付近から後方に向けて緩やかな角度で上方に傾斜している第二の斜面４２、および、シート７の後端から後方に向けて緩やかな角度で下方に傾斜して船尾部に至る第三の斜面４３が連続した山形状としている。シート７の下面も、この隆起部４の第一および第二の斜面４１、４２の傾斜にほぼ沿った形状にしている。これにより、シート７の下面を横から見ると、その前部が前方に向けてやや急角度で上方に傾斜した第一下面７ａを形成し、後部が後方に向けて緩やかな角度で上方に傾斜した第二下面７ｂを形成している。
【００２９】
しかも、この実施の形態では、隆起部４の後部を、船尾部から前記操舵用ハンドル２３に向けて上傾斜する緩やかな第三の斜面４３で形成することにより、隆起部４の斜面４３の角度を緩くしている。そして、この斜面４３の前端とシート７の後端とが接する位置の頂部付近に、前記バッテリ収容部２１を位置させている。これにより、操縦者が小型滑走艇の後方から体を斜面４３に乗せて走行開始する場合の乗込み性を向上させるようなデザインを採用しつつ、バッテリ２２を配置する箇所を確保している。その上、操縦者が水中から走行開始する場合、体を隆起部４の斜面４３に乗せて船体１に預け、その状態でハンドル２３を持ってアクセル操作することにより走行を開始することができる。この時、前記したように隆起部４の斜面４３に操縦者が体（腹部）を乗せると、この斜面４３のほぼ延長線上に操舵用ハンドル２３が位置するため、操縦者は船体中心線上に体を位置させて操舵用ハンドル２３を握り、その状態から安定した走行開始が行える。また、このような斜面４３を設けることにより、操縦者が体を船体１に乗せた状態でのアクロバット走行も可能であり、スポーツ用等の分野での新たな走行形態にも対応できる。
【００３０】
図４は、図１に示す小型滑走艇のバッテリ収容部を透視して左側後方から小型滑走艇を見た斜視図である。図５は、図４に示すバッテリ収容部における主要な構成を示す分解斜視図であり、図６は、図１に示す小型滑走艇のシートを側面から見た縦断面図である。
【００３１】
図４に示すように、前記バッテリ収容部２１は、この実施の形態では、デッキ３の隆起部４に設けられたシート７の下側であって、ウォータージェットポンプＰの上側に配置されている。しかも、この実施の形態では、前記したように、隆起部４の後部壁面が、船尾部から操舵用ハンドル２３に向けて上傾斜するような斜面４３に形成されているため、この斜面４３の頂部付近におけるシート７の下部にバッテリ収容部２１が設けられている。これにより、隆起部４で高さスペースがあり、シート７の下部でメンテナンスが容易に行える位置にバッテリ収容部２１を配置している。このバッテリ収容部２１は、この実施の形態ではバッテリ２２を収容する部分として説明するが、このバッテリ収容部２１は、物入れとしての機能を備えた収容部であってもよい。
【００３２】
また、ウォータージェットポンプＰの上部に配置したバッテリ収容部２１にバッテリ２２を設けるために、前記したように、ウォータージェットポンプＰのポンプケーシング１５の上部に設けられるポンプ取付ブラケット２５の前部にバッテリ取付ブラケット２６が一体的に延設されている。
【００３３】
そして、図５に示すように、この取付ブラケット２７は、後部がウォータージェットポンプＰ（図３）のポンプケーシング１５の上部に位置するハル２に固定され、前部が吸水通路１８（図３）の傾斜通路壁面１８ａに固定されている。具体的には、ポンプ取付ブラケット２５には、ポンプケーシング１５とハル２とに固定するための取付ボルト２５ａが設けられており、ポンプ取付ブラケット２５がポンプケーシング１５を左右に跨いだ状態として、前記取付ボルト２５ａによって、ポンプケーシング１５とハル２とともに一体的に固定されている。これにより、取付ブラケット２７はハル２と強固に固定されている。このように固定された取付ブラケット２７のバッテリ取付ブラケット２６には、上向きに突出する取付ボルト２６ａが設けられている。この取付ボルト２６ａは、バッテリ固定部材２８を固定するためのものであり、この例では前後に各２本が設けられている。この取付ボルト２６ａに、バッテリ固定部材２８がナット２６ｂで固定される。
【００３４】
この実施の形態では、バッテリ固定部材２８とバッテリ２２との間に、緩衝材２８ａが設けられている。バッテリ２２（図３）は、緩衝材２８ａを介在させてバッテリ固定部材２８の爪部に引っ掛けたゴムバンド２８ｂで固定されている（図６）。
【００３５】
一方、図６に示すように、シート７を固定している隆起部４には、シート７の後部下面に矩形状の開口３０が設けられている。この開口３０は、前記吸水通路１８の上部に配置されたバッテリ収容部２１の上部に位置している。このため、シート７を取外せば、開口３０の下部に設けられたバッテリ２２へのアクセスが容易に可能であり、この開口３０からバッテリ２２の補充電やバッテリ２２の取外し等のメンテナンスが容易に行える。
【００３６】
この図６に示すように、前記シート７は、下面側に板状の金属のフレーム７ｃが設けられ、このフレーム７ｃの上面側にクッション材７ｄが設けられたものである。フレーム７ｃは、幅方向中央部が凹状に形成されており、この凹状部分の長手方向前部と中央部との下面には、係止部７ｅ，７ｆが形成されている。これらの係止部７ｅ，７ｆは、いずれも前側が開いた爪状に形成されている。一方、前記隆起部４の斜面４１と前記斜面４２との幅方向中央部に形成した凸状の部分には、係止部材４ａ，４ｂ（図３にも示す）が設けられている。これらの係止部材４ａ，４ｂは、前記係止部７ｅ，７ｆを係止するように、いずれも後側が開いた爪状に形成されている。
【００３７】
また、フレーム７ｃの後部には、隆起部４の斜面４３の頂部に設けられた固定部材４ｃに固定する固定ブラケット７ｇが設けられている。この固定ブラケット７ｇは、前記係止部７ｅ，７ｆを係止部材４ａ，４ｂに係止した後、固定部材４ｃに１本のボルト７ｈで固定するように構成されている。この固定ブラケット７ｇをボルト７ｈで固定することにより、シート７の隆起部４への固定が完了するように構成されている。つまり、この実施の形態では、１本のボルトの着脱でシート７の着脱が可能なように構成されている。
【００３８】
さらに、この実施の形態では、隆起部４の上面に設けられた開口３０の周囲にシール部（図２）が形成されている。このシール部には、水密シールするシール部材３１が設けられている。このシール部材３１は、矩形状の開口３０の周囲をシールするように、矩形状に形成されたゴム材等が採用される。
【００３９】
そして、このシール部材３１を開口３０の周囲に設けた後、シート７を固定すれば、シート７の下面がシール部材３１に接して開口３０の周囲を水密シールするように構成されている。従って、シート７の着脱のみで水密シールが可能である。このシール部材３１を押えて水密シールする構成としては、シート７の下面でシール部材３１を直接押えるように構成しても、シート７の下面にシール部材３１を押える底板を設けるようにしてもよく、この実施の形態に限定されるものではない。また、シール部材３１は、開口３０の周囲に設けても、シート７の下面に設けてもよい。
【００４０】
従って、このように構成されたシート７を隆起部４に固定すれば、前記開口３０の周囲の水密シールが完了し、シート７を取外せば、開口３０からバッテリ２２の迅速なメンテナンスを行うことが可能である。このことは、図３からも明らかである。
【００４１】
以上のように構成された小型滑走艇によれば、バッテリ２２を、エンジンルーム８から外部に出して、シート７の下側に位置するとともに、ウォータージェットポンプＰの上側に位置するデッキ内に配置しているので、エンジンルーム８内におけるエンジン、排気管、プロペラシャフトなどの配置の自由度が高くなるとともに、デザインの自由度も高くすることができる。しかも、バッテリ収容部２１に設けたバッテリ２２は、シート７の着脱のみで開口３０の周囲をシールすることができるので、容易にメンテナンスを行うことができて作業性が良い。
【００４２】
また、バッテリ２２を、シート７の下側であってウォータージェットポンプＰの上側に配置する船体８内に設けるため、船体１の幅方向略中央にバッテリ２２を設けて重量バランスの向上にも寄与することができる。
【００４３】
なお、前記実施の形態では、図６に示すようにゴムバンド２８ｂでバッテリ２２を固定しているが、バッテリ２２を固定するための手段はゴムバンド２８ｂに限定されるものではなく、例えば、図６に一点鎖線で示すように、シート７の下部にバッテリ押え３２を設け、シート７を固定することによりこのバッテリ押え３２でバッテリ２２を固定するようにしてもよい。このバッテリ押え３２としては、シート７を固定した状態でも所定の弾性を保ってバッテリ２２を押えることができる構成が好ましい。このように構成するか否かは、バッテリ２２の大きさやシート形状等に応じて決定すればよい。
【００４４】
また、シート７の下側に設けられる開口３０は矩形状に限定されるものではなく、バッテリ２２のメンテナンスができるような形状であればよい。
【００４５】
さらに、前述した実施形態は一例を示しており、本発明の要旨を損なわない範囲での種々の変更は可能であり、本発明は前述した実施形態に限定されるものではない。
【産業上の利用可能性】
【００４６】
本発明に係る小型滑走艇は、電力供給用のバッテリをエンジンルームの外部に配置したい小型滑走艇に利用できる。
【図面の簡単な説明】
【００４７】
【図１】本発明の一実施形態を示す小型滑走艇の側面図である。
【図２】図１に示す小型滑走艇の平面図である。
【図３】図１に示す小型滑走艇を一部断面した側面図である。
【図４】図１に示す小型滑走艇のバッテリ収容部を透視して左側後方から見た小型滑走艇の斜視図である。
【図５】図４に示すバッテリ収容部における主要な構成を示す分解斜視図である。
【図６】図１に示す小型滑走艇のシートを側面から見た縦断面図である。
【符号の説明】
【００４８】
１…船体
２…ハル
３…デッキ
４…隆起部
７…シート
８…エンジンルーム
１５…ポンプケーシング
１７…吸水口
１８…吸水通路
２１…バッテリ収容部
２２…バッテリ
２５…ポンプ取付ブラケット
２６…バッテリ取付ブラケット
２７…取付ブラケット
３０…開口
３１…シール部材（シール部）
４３…斜面
Ｅ…エンジン
Ｐ…ウォータージェットポンプ
【図１】
2007069744.tif 000003
【図２】
2007069744.tif 000004
【図３】
2007069744.tif 000005
【図４】
2007069744.tif 000006
【図５】
2007069744.tif 000007
【図６】
2007069744.tif 000008